(57)【要約】      （修正有）【課題】調速器を有する時打機構及び時間設定安全機能を有する時計を提供する。【解決手段】分離不可能な日の裏機構レバー２０１を有する時間設定制御機構、調速器を有する時打機構を有する時計であって、時打機構は、ムーブメント又はユーザ命令によって動くように設定した少なくとも１つの制御部品２２６、及び時打機能作動器の回転速度を実質的に一定の値に調整するように構成した調速器機構２２２を備え、時打機構は、少なくとも１つの制御部品２２６に対して、調速器トリガ部品を含み、調速器トリガ部品は、制御部品２２６の角度位置に従って、調速器機構２２２の回転を阻止又は可能にする調速器停止押さえ２１８を動作させ、関節接続により、日の裏機構レバー２０１を分離位置で隔離するか又は日の裏機構レバー２０１を結合位置に置くように構成する。【選択図】図９
2019095432.tif 000002
【特許請求の範囲】
【請求項１】
調速器を有する時打機構（１００）を有する時計（１０００）であって、前記時計（１０００）は、設定手段（２００）による時間設定機構、ムーブメント（２０００）を備え、前記設定手段（２００）は、前記設定手段（２００）の結合位置では、日の裏機構レバー（２０１）を駆動するように構成し、前記日の裏機構レバー（２０１）は、結合位置及び分離位置を占めることができ、前記ムーブメント（２０００）は、前記ムーブメント（２０００）によって経時的時打を解放する出力部（３）を備え、少なくとも１つの基準車セット（１）を駆動するように構成し、前記時打機構（１００）は、少なくとも１つの制御部品（２２６）を備え、前記少なくとも１つの制御部品（２２６）は、前記出力部（３）又はユーザの命令によって動くように設定し、前記少なくとも１つの基準車セット（１）に関する位置情報を読み取るように構成し、前記時打機構（１００）は、調速器機構（２２２）を更に備え、前記調速器機構（２２２）は、少なくとも１つの時打機能作動器の回転速度を実質的に一定の値に調整するように構成する、時計（１０００）において、前記時打機構（１００）は、少なくとも１つの前記制御部品（２２６）に対して、調速器トリガ部品（２１０）を備え、前記調速器トリガ部品（２１０）は、前記制御部品（２２６）とは別個であり、前記制御部品（２２６）の運動力学に従って、前記調速器機構（２２２）の回転を阻止することができるか又は可能にする調速器停止押さえ（２１８）を動作させ、関節接続部により、前記日の裏機構レバー（２０１）を前記分離位置で隔離するか又は前記日の裏機構レバー（２０１）を前記結合位置に置くように構成し、前記調速器トリガ部品（２１０）は、中間部品を形成し、前記中間部品は、前記制御部品（２２６）が、前記調速器機構（２２２）を解放すると同時に前記日の裏機構レバー（２０１）を分離可能にするように構成することを特徴とする、時計（１０００）。
【請求項２】
前記調速器トリガ部品（２１０）に関連付けた少なくとも１つの前記制御部品（２２６）は、駆動手段（２２７）を含み、前記駆動手段（２２７）は、前記調速器（２２２）を解放すると、前記制御部品（２２６）に関連付けた前記調速器トリガ部品（２１０）内に含まれる爪（２１１）と協働するように構成し、前記駆動手段（２２７）は、縁部（２２８）を備え、前記縁部（２２８）は、前記調速器（２２２）を係止すると前記爪（２１１）を持ち上げ、時打又はアラーム機能を実行する間、前記爪（２１１）を枢動させるように構成することを特徴とする、請求項１に記載の時計（１０００）。
【請求項３】
１つの前記爪（２１１）は、調速器制御カム（２１５）及び解放板（２１２）と同軸に枢動するように構成し、前記解放板（２１２）は、前記解放板（２１２）内に含まれる第１のピン（２１４）の進行によって制限される相対的な振幅を伴った状態で、前記調速器制御カム（２１５）に対して、前記調速器制御カム（２１５）内に含まれる第１の穴（２１６）の内部を枢動可能であるか、又は前記第１の穴（２１６）が前記第１のピン（２１４）に対して進行する状態で枢動可能であり、前記調速器停止押さえ（２１８）内に含まれる爪（２２０）の係止によって前記調速器機構（２２２）内に含まれるかなを係止する前に、前記日の裏機構レバー（２０１）が前記結合位置に戻ることを可能にし、前記調速器トリガ部品爪（２１１）は、前記解放板（２１２）と一体に枢動するか、又は別の制御部品（２２６）に対応し前記解放板（２１２）と一体に枢動する別の前記爪（２１１）によって駆動されるように構成することを特徴とする、請求項２に記載の時計（１０００）。
【請求項４】
前記調速器停止押さえ（２１８）は、触腕（２１９）を含み、前記触腕（２１９）は、第１のばね（２３０）によって前記調速器制御カム（２１５）内に含まれるカム軌道上に載置した状態にし、前記カム軌道は、前記カム軌道の遠位周辺部上に、前記調速器（２２２）の自由位置に対応する円筒形区分（２１７）、及び前記円筒形区分（２１７）から後退し、前記調速器（２２２）の係止位置に対応する側方縁部（２１７０）を備え、この場合、前記係止位置は、前記第１のばね（２３０）の復元トルクによって保持することを特徴とする、請求項３に記載の時計（１０００）。
【請求項５】
前記時打機構（１００）は、連鎖的に動作し、最後の１つが他によって操作されるいくつかの前記制御部品（２２６）を含むこと、及び前記解放板（２１２）と一体に枢動し、前記制御部品（２２６）の前記最後の部品（２２６）と協働するように構成した唯一の前記爪（２１１）があることを特徴とする、請求項３に記載の時計（１０００）。
【請求項６】
前記時打機構（１００）は、連鎖的に動作し、最後の１つが他によって操作されるいくつかの前記制御部品（２２６）を含むこと、及び前記解放板（２１２）と一体に枢動し、前記制御部品（２２６）の前記最後の部品（２２６）と協働するように構成した唯一の前記爪（２１１）があることを特徴とする、請求項４に記載の時計（１０００）。
【請求項７】
前記制御部品（２２６）の前記最後の部品は、クォーター部品によって駆動するように構成したミニッツ・ラックであること、及び前記解放板（２１２）と一体に枢動する前記単一爪（２１１）は、前記ミニッツ・ラックと協働するように構成することを特徴とする、請求項５に記載の時計（１０００）。
【請求項８】
前記制御部品（２２６）の前記最後の部品は、クォーター部品によって駆動するように構成したミニッツ・ラックであること、及び前記解放板（２１２）と一体に枢動する前記単一爪（２１１）は、前記ミニッツ・ラックと協働するように構成することを特徴とする、請求項６に記載の時計（１０００）。
【請求項９】
前記関節接続部は、各前記調速器トリガ部品（２１０）に対し、少なくとも１つの日の裏機構分離レバー（２０５）を含み、前記日の裏機構分離レバー（２０５）は、前記日の裏機構分離レバー（２０５）内に含まれる溝（２０９）によって前記調速器トリガ部品２１０内に含まれる第２のピン（２１３）上に関節接続するか、又は前記第２のピン（２１３）によって前記溝（２０９）上に関節接続し、前記日の裏機構分離レバー（２０５）は、第２のばね（２３１）の復元トルクを受け、前記調速器トリガ部品（２１０）の角度位置に応じて、前記日の裏機構レバー（２０１）の切替えを、結合位置から分離位置に又はその逆も同様に、直接又は間接的に制御するように構成することを特徴とする、請求項１に記載の時計（１０００）。
【請求項１０】
前記日の裏機構分離レバー（２０５）は、前記日の裏機構分離レバー（２０１）と関節接続する中間日の裏機構分離レバー（２０３）と関節接続し、前記日の裏機構分離レバー（２０１）内に含まれる第２の長方形穴（２０２）内を摺動するピン（２０３０）、前記調速器機構（２２２）の解放位置に対応する前記時間設定手段（２００）の第１の停止位置、及び前記調速器機構（２２２）の係止位置に対応する前記時間設定手段（２００）の第２の停止位置を備えることを特徴とする、請求項９に記載の時計（１０００）。
【請求項１１】
前記日の裏機構分離レバー（２０５）と前記中間日の裏機構分離レバー（２０３）との間の前記関節接続部は、カム（２０６）を含み、一方の、前記設定手段（２００）への前記日の裏機構レバー（２０１）の結合の瞬間と、もう一方の、前記調速器機構（２２２）の係止の瞬間との間の継続時間を調節することを特徴とする、請求項１０に記載の時計（１０００）。
【請求項１２】
前記時打機構（１００）は、それぞれ個別の前記爪（２１１）と協働するように構成したいくつかの前記制御部品（２２６）を含むこと、したがって、前記調速器トリガ部品（２１０）の特定の爪（２１１）は、各前記制御部品（２２６）に対応し、関係する前記制御部品（２２６）に特定であるか、又は全ての前記制御部品（２２６）に共通であることを特徴とする、請求項２に記載の時計（１０００）。
【請求項１３】
少なくとも１つの前記基準車セット（１）は、スネイルであることを特徴とする、請求項１に記載の時計（１０００）。
【発明の詳細な説明】
【技術分野】
【０００１】
本発明は、調速器を有する時打機構を有する時計に関し、時計は、時計設定手段を有する時間設定機構、ムーブメントを備え、時計設定手段は、その結合位置では、日の裏機構レバーを駆動するように構成し、日の裏機構レバーは、結合位置及び分離位置を占めることができ、ムーブメントは、ムーブメントによって経時的時打を解放する出力部を備え、少なくとも１つの基準車セットを駆動するように構成し、上記時打機構は、少なくとも１つの制御部品を備え、少なくとも１つの制御部品は、上記出力部又はユーザ命令によって動くように設定し、上記少なくとも１つの基準車セットに関する位置情報を読み取るように構成し、上記時打機構は、調速器機構を更に備え、調速器機構は、少なくとも１つの時打機能作動器の回転速度を実質的に一定の値に調整するように構成する。
【０００２】
本発明は、時計、計時器又はオルゴールのための時打機構の分野に関し、より詳細には、時打時計及び／又はアラーム時計の分野に関する。
【背景技術】
【０００３】
計時器時打機構は、大型複雑機構であり、機構の構成要素の数及び運動力学の複雑さの点において複雑であるだけでなく、可能な動作モードの点においても複雑である。様々なモード間の安全特徴の管理は、常に複雑である。グランド・ソヌリ等の自動的に動作する更なる複雑機構を備える時計の場合、安全機能の管理は、より一層複雑である。
【０００４】
実際、様々な時打又はアラーム音を、妨害なく適切に鳴らすことを保証するだけでなく、全ての他の機能を有する状態で、計時器、特に時計の通常動作も保証する必要があり、こうした他の機能には、当然、最も典型的な機能：設定及び巻上げが含まれる。
【０００５】
機構が、直ちに停止することができない高慣性構成要素、即ち、回転巻上げ錘、調速器慣性ブロック等を実装する場合、状況は複雑になる。
【０００６】
特に時計の内部で利用可能な空間のために、各可動部品の後に隔離部品を置くことは不可能であり、また、平均的な複雑さをもつ構成要素の数を低減させ、最小の可能な体積を有する状態で安全機能を保証することは困難である。
【０００７】
ＭＯＮＴＲＥＳ  ＢＲＥＧＵＥＴ  ＳＡ名義の欧州特許出願ＥＰ２４９８１４８（特許文献１）は、同様の問題に関し、ミニッツ・リピーターの意図しない操作に対して保護する安全機構を開示しており、この安全機構は、時打ユニット又はフュージー、及び第１のミニッツ・リピーター制御レバーを作動させるプッシュピースを備える時打機構に適用され、第１のミニッツ・リピーター制御レバーは、計時器ムーブメントのために解放カムを駆動し、自動操作では、時打ユニットの戻止め爪の方に解放レバーを枢動させ、これにより、時打機能を実行する間、巻上げカムを保持する板を駆動する。この機構は、意図しない操作を保護する安全機構、及び第２の安全レバーを含み、第２の安全レバーの枢動は、ミニッツ・リピーターを作動する際に第１のレバーによって制御され、ばねによって戻る枢動ボルトと協働する切欠きを含み、ミニッツ・リピーターが動くように設定した後に再度解放されないようにし、この枢動ボルトは、ミニッツ・リピーター・サイクルの終了後、解放される。
【０００８】
ＲＯＴＨ＆ＧＥＮＴＡ名義の欧州特許出願ＥＰ１４２９２１４（特許文献２）は、時、四半時及び分を時打する機構を有する計時器を開示しており、この機構は、決定した載置位置と動作位置との間を移動することができる時打機構可動部品、時打機構解放手段、時打機構を解放した際にこの可動部品を動作位置に周期的に移動させる手段、設定列と嵌合するようにつづみ車を摺動可能に組み付けた巻真を含む時間設定機構、一方で巻真と嵌合し、もう一方で設定レバーと嵌合するプルアウト部品を備え、設定レバーは、つづみ車と嵌合する。設定レバーを係止する手段は、係止手段が、時打機構可動部品がその載置位置から離れると直ちに設定レバーを係止するように、つづみ車を時打機構可動部品に接続するものである。
【先行技術文献】
【特許文献】
【０００９】
【特許文献１】欧州特許出願ＥＰ２４９８１４８
【特許文献２】欧州特許出願ＥＰ１４２９２１４
【発明の概要】
【発明が解決しようとする課題】
【００１０】
本発明は、ミニッツ・リピーター機能又はアラーム機能をもつ（グランド・ソヌリ若しくはプチ・ソヌリ等の）経時的時打機能を実行する間、時間設定を単純且つ確実に防止し、平均的な複雑さをもつ効率的な安全機構の実装に適合するデバイスの作製を提案するものである。
【００１１】
本発明は、時打機能を実行する間、調速器が停止する前に日の裏機構を適切に配置することを必要とし、時打機能の終了後、ユーザが時間を設定することを可能にするようにする。
【００１２】
本発明は、時打作業調速器の係止及び係止解除を保証する一方で、日の裏機構の適切な動作を保証することも提案する。
【課題を解決するための手段】
【００１３】
この目的で、本発明は、計時器、特に請求項１に記載の時計に関する。
【００１４】
本発明は、一方で時打作業調速器を解放又は係止し、もう一方で日の裏機構設定機構を結合又は分離させる２つの機能を同期化し、順に行う特定の手段を含む。
【００１５】
本発明の他の特徴及び利点は、添付の図面を参照しながら以下の詳細な説明を読めば明らかになるであろう。
【図面の簡単な説明】
【００１６】
【図１】本発明による機構の主な構成要素、即ち、日の裏機構レバーの後平面図、前平面図及び斜視図を含む概略図である。
【図２】本発明による機構の主な構成要素、即ち、中間日の裏機構分離レバーの後平面図、前平面図及び斜視図を含む概略図である。
【図３】本発明による機構の主な構成要素、即ち、日の裏機構分離レバーの後平面図、前平面図及び斜視図を含む概略図である。
【図４】本発明による機構の主な構成要素、即ち、調速器解放爪の、調速器板及び単一コンマ形状爪と一体部品のバージョンにある後平面図、前平面図及び斜視図を含む概略図である。
【図５】本発明による機構の主な構成要素、即ち、調速器制御カムの後平面図、前平面図及び斜視図を含む概略図である。
【図６】本発明による機構の主な構成要素、即ち、調速器停止押さえの後平面図、前平面図及び斜視図を含む概略図である。
【図７】本発明による機構の主な構成要素、即ち、ミニッツ・ラックの後平面図、前平面図及び斜視図を含む概略図である。
【図８】本発明による機構の主な構成要素、即ち、調速器かなを含む調速器の後平面図、前平面図及び斜視図を含む概略図である。
【図９】裏側を示す、図１０と対の本発明による時打機構の同じ位置の平面概略図であり、すべての構成要素は示されておらず、図示の機能を実施するのに必須の構成要素のみを見せている。調速器が調速器停止押さえによって係止されている位置における本発明による機構を示し、調速器停止押さえは、調速器かなの歯部上に載置されている。
【図１０】前側を示す、図９と対の本発明による時打機構の同じ位置の平面概略図であり、すべての構成要素は示されておらず、図示の機能を実施するのに必須の構成要素のみを見せている。調速器が調速器停止押さえによって係止されている位置における本発明による機構を示し、調速器停止押さえは、調速器かなの歯部上に載置されている。
【図１１】裏側を示す、図１２と対の本発明による時打機構の同じ位置の平面概略図であり、すべての構成要素は示されておらず、図示の機能を実施するのに必須の構成要素のみを見せている。調速器を解放した際の同じ機構を示す。
【図１２】前側を示す、図１１と対の本発明による時打機構の同じ位置の平面概略図であり、すべての構成要素は示されておらず、図示の機能を実施するのに必須の構成要素のみを見せている。調速器を解放した際の同じ機構を示す。
【図１３】裏側を示す、図１４と対の本発明による時打機構の同じ位置の平面概略図であり、すべての構成要素は示されておらず、図示の機能を実施するのに必須の構成要素のみを見せている。調速器を係止する前の位置にある同じ機構を示す。
【図１４】前側を示す、図１３と対の本発明による時打機構の同じ位置の平面概略図であり、すべての構成要素は示されておらず、図示の機能を実施するのに必須の構成要素のみを見せている。調速器を係止する前の位置にある同じ機構を示す。
【図１５】図６の調速器停止押さえの端部における係止爪を示す図９の詳細図であり、係止爪は、調速器かなの歯部上に載置されている。
【図１６】図２の中間日の裏機構分離レバーが支持するピンと、図１の日の裏機構レバー内に含まれる長方形穴の第１の上側端部との間の相互作用を示す図１０の詳細図である。
【図１７】図１０の別の詳細図であり、一方の、図４の解放板内に含まれるピンと、図５の調速器制御カム内に含まれる第１の穴との相互作用、及びもう一方の、図１５の爪の端部とは反対側の端部にある、図６の調速器停止押さえ内に含まれる触腕と、図５の調速器制御カムのカム軌道内に含まれる側方縁部との相互作用を示す。
【図１８】図１５と同様の、図１１の詳細図であり、爪を係止している調速器停止押さえが、調速器かなの歯部から解放されていることを示す。
【図１９】図１６と同様の、図１２の詳細図であり、日の裏機構中間分離レバーのピンと、日の裏機構レバーの長方形穴の反対側の下側端部との相互作用を示す。
【図２０】図１７と同様の、図１２の別の詳細図であり、一方の、解放板の第１のピンと、図５の調速器制御カム・ピンの第１の穴との同じ相互作用、及びもう一方の、調速器停止押さえの触腕と、調速器制御カムのカム軌道の円筒形区分との相互作用を示す。
【図２１】図１２の別の詳細図であり、図３の日の裏機構分離レバーと、図２の中間日の裏機構分離レバーとの間の関節接続部の斜視図を示し、カムは、日の裏機構分離レバーによって支持され、一方の、日の裏機構レバーと計時器ムーブメントの時間設定手段との結合と、もう一方の、調速器機構の係止との間の継続時間を調節する。
【図２２】本発明による時打機構を備える時計を表すブロック図である。
【発明を実施するための形態】
【００１７】
本発明は、少なくとも１つの時打機構１００を有する時計１０００に関し、少なくとも１つの時打機構１００は、調速器を有する。
【００１８】
「時打機構」は、本明細書では広範な意味で使用し、音を出す計時器機構、即ち、経時的時打、リピーター、自動式アラーム又はタイマー、オルゴール又はそれ以外を意味する。
【００１９】
この時計１０００は、必ずしもそうではないが、特に従来の型の時間設定制御機構を含み、時間設定制御機構は、設定手段２００、特につづみ車を有する巻真を使用し、設定手段２００は、その結合位置では、日の裏機構レバー２０１を駆動するように構成し、日の裏機構レバー２０１は、結合位置及び分離位置を占めることができる。
【００２０】
時計１０００は、少なくとも１つのムーブメント２０００を含み、ムーブメント２０００は、ムーブメントによって経時的時打を解放する出力部３を備え、出力部３は、スネイル等の少なくとも１つの基準車セット１を駆動するように構成する。時打機構１００は、アワー・ラック、クォーター・ラック、ミニッツ・ラック等の少なくとも１つの制御部品２２６を含み、制御部品２２６は、出力部３若しくはユーザの命令によって動くように設定し、上記少なくとも１つの基準車セット１に関する位置情報を読み取るように構成する。
【００２１】
本発明は、少なくとも１つの特定の時打機構１００を含む時計１０００又は計時器２０００に関する。この計時器２０００は、オルゴールであるか、又はオルゴールを含むことができる。
【００２２】
Ｆｒａｎｃｏｉｓ  ＬＥＣＯＵＬＴＲＥによる刊行物、書名「Ｌｅｓ  ｍｏｎｔｒｅｓ  ｃｏｍｐｌｉｑｕｅｅｓ」（複雑時計の案内書）、Ｅｄｉｔｉｏｎｓ  Ｈｏｒｌｏｇｅｒｅｓ、Ｂｉｅｎｎｅ（スイス）、１９８５年、ＩＳＢＮ２−８８１７５−０００−１は、９７から２０５頁（英語版の８５から１８１頁）で、様々な章：
−リピーター時計、
−昔のリピーター時計、
−現代のクォーター・リピーター、
−簡易リピーター、
−ハーフ・クォーター・リピーター、
−ブレゲ・ハーフ・クォーター・リピーター、
−ファイブ・ミニッツ・リピーター
−ミニッツ・リピーター
−クロック式時計
において時打機構を形成する基本機構を詳細に説明している。
【００２３】
本明細書では、必要ではない限り、これらの基本機構は詳細に説明しない。というのは、時打機構の専門家は、この総括的な参照刊行物、特に上述の最後の２つの章においてそのような機構の構造の発見の仕方を知っているためである。
【００２４】
時打機構１００は、特に遠心力及び／又は渦電流型の調速器機構２２２を更に含み、調速器機構２２２は、少なくとも１つの時打機構又はアラーム作動器の回転速度を実質的に一体の値に調整するように構成する。
【００２５】
本発明によれば、上記時打機構１００は、少なくとも１つの制御部品２２６に対して、調速器トリガ部品２１０を含み、調速器トリガ部品２１０は、上記制御部品２２６の運動力学（角度位置、移動及び枢動方向）に応じて、調速器停止押さえ２１８を動作させるように構成する。この調速器停止押さえ２１８は、調速器機構２２２を係止できるか又は調速器機構２２２の回転を可能にするように設計する。
【００２６】
調速器トリガ部品２１０は、図示の非限定的な変形形態では解放板２１２及び爪２１１である手段を含み、手段は、関節接続部により、分離位置において日の裏機構レバー２０１を隔離するか、又は日の裏機構レバー２０１を結合位置に置くように構成する。
【００２７】
図示する特定の非限定的な実施形態では、調速器トリガ部品２１０に関連付けられる少なくとも１つの制御部品２２６は、駆動手段２２７を含み、駆動手段２２７は、特定の位置では、調速器２２２を解放すると、そのような爪２１１を持ち上げる又は駆動するように構成し、爪２１１は、上記制御部品に関連付けられる調速器トリガ部品２１０内に含まれる。
【００２８】
駆動手段２２７は、様々な形態、例えば図示のように、縁部２２８によって画定される凹部の形態を取ることができるか、又は上記爪２１１と協働するような突起、爪、触腕、カム若しくは歯部若しくはそれ以外のものとすることができる。駆動手段２２７は、調速器２２２を係止すると爪２１１を持ち上げ、時打又はアラーム機能を実行する間、爪２１１を枢動するように構成する。この枢動は、図示のような圧力接触によって、又は図示しない他の変形形態では嵌合によって達成することができる。
【００２９】
図示の変形形態では、少なくとも１つの調速器トリガ部品２１０は、そのような爪２１１を備え、爪２１１は、調速器制御カム２１５と同軸に枢動するように構成する。
【００３０】
この調速器制御カム２１５は、爪２１１と一体である解放板２１２に同軸である。解放板２１２及び調速器制御カム２１５は、解放板２１２内に含まれる第１のピン２１４の進行によって制限される相対的な振幅を伴った状態で、制限的に互いに対して、図示のように調速器制御カム２１５の第１の穴２１６内で枢動可能であるか、又は別の図示しない実施形態では、第１の穴２１６が第１のピン２１４に対して進行する状態で枢動可能である。この構成の効果により、調速器機構２２２内に含まれる軸方向かな２２５が調速器停止押さえ２１８内に含まれる係止爪２２０によって係止される前に、日の裏機構レバー２０１がその結合位置に戻ることを可能にする。爪２１１は、解放板２１２と一体に枢動するか、又は別の制御部品２２６に対応し解放板２１２と一体に枢動する別の爪２１１によって駆動されるように構成する。
【００３１】
より詳細には、調速器停止押さえ２１８は、触腕２１９を備え、触腕２１９は、第１のばね２３０によって調速器制御カム２１５のカム軌道上に載置された状態にする。このカム軌道は、その遠位周辺部上に、調速器２２２の自由位置に対応する円筒形区分２１７、及び円筒形区分から後退し、調速器２２２の係止位置に対応する側方縁部２１７０を備え、係止位置では、調速器２２２は、第１のばね２３０の復元トルクによって保持される。
【００３２】
特に図示のケースに対応する特定の変形形態では、時打機構１００は、連鎖的に動作し、最後の１つが他によって操作されるいくつかの制御部品２２６を備え、解放板２１２と一体に枢動し、最後の制御部品２２６と協働するように構成した唯一の爪２１１がある。図の特定のケースでは、この最後の制御部品２２６は、クォーター・ラックに従来の様式で接続されているミニッツ・ラックであるが、図面を煩雑にしないため図示しない。時打機構１００は、アワー・ラックも含む。この場合、解放板２１２と一体に枢動する単一爪２１１は、ミニッツ・ラックと協働するように構成する。
【００３３】
各基準車セット１は、通常、スネイルであり、スネイル上で、対応する制御部品２２６が、落下した際に情報を探索する。スネイルは偏心しており、日の裏機構のあらゆる作用がスネイルを動かすため、日の裏機構は、任意の時打機能を実行する間、必ず分離させなければならないことは理解されよう。
【００３４】
別の図示しない変形形態では、時打機構１００は、それぞれ個別の爪２１１と協働するように構成したいくつかの制御部品２２６を含む。したがって、調速器トリガ部品２１０の特定の爪２１１は、各制御部品２２６に対応し、関係する制御部品２２６に特定であるか、又は全ての制御部品２２６に共通である。より詳細には、様々な爪２１１には、互いに対して角度振幅の制限があり、１つの爪２１１のみが解放板２１２と共に一体に枢動する。
【００３５】
別の図示しない変形形態では、調速器トリガ部品２１０は、全ての制御部品２２６に共通であり、制御部品２２６のそれぞれに特定の全ての爪２１１を支持する。
【００３６】
調速器トリガ部品２１０は、その爪及び解放板２１２を介して、関節接続部により、分離位置で日の裏機構レバー２０１を隔離するか、又は結合位置に置くように構成する。この関節接続部は、少なくとも１つの調速器トリガ部品２１０、特に各調速器トリガ部品２１０に対し、少なくとも１つの日の裏機構分離レバー２０５を含む。この日の裏機構分離レバー２０５は、日の裏機構分離レバー２０５内に含まれる溝２０９によって、調速器トリガ部品２１０内に含まれる第２のピン２１３上に関節接続されるか、又は第２のピン２１３によって溝２０９上に関節接続される。日の裏機構分離レバー２０５は、第２のばね２３１の復元トルクを受け、調速器トリガ部品２１０の角度位置に応じて、日の裏機構レバー２０１の切替えを、その結合位置から分離位置に又はその逆も同様に直接又は間接的に制御するように構成する。
【００３７】
有利には、日の裏機構分離レバー２０５は、日の裏機構分離レバー２０１と関節接続する中間日の裏機構分離レバー２０３と関節接続され、ピン２０３０を含み、ピン２０３０は、日の裏機構分離レバー２０１内に含まれる第２の長方形穴２０２の内部で摺動する。設定手段２００から最も遠い停止位置２０２Ｂは、調速器機構２２２の解放位置に対応し、設定手段２００に最も近い停止位置２０２Ａは、調速器機構２２２の係止位置に対応する。中間日の裏機構分離レバー２０３の枢動点は、ピン２０３０と、日の裏機構分離レバー２０５との関節部との間に位置する。日の裏機構レバー２０１は、実質的に枢動軸上に位置合わせされた２つの中間車を含み、最も遠い車は、図の変形形態ではつづみ車によって形成された設定手段２００と嵌合するように構成し、最も近い車は、日の裏機構と嵌合する。第２の長方形穴２０２は、その２つの端部に実質的に円形の円弧を含み、２つの端部は、中間日の裏機構分離レバー２０３の枢動軸上では、日の裏機構レバー２０１の制限角度進行の中央位置において実質的に中心に置かれる。上記円弧は、実質的に線形の区分によって接合されているため、第２の長方形穴２０２は、ピン２０３０が移動する間、日の裏機構レバー２０１を強制的に枢動させるＳ字形状を有する。このＳ字形状により、一連の動作：調速器の係止を解除し、次に、日の裏機構を分離すること、及び特に、調速器を係止する前に、日の裏機構を再度結合させること、を可能にする。日の裏機構の分離には、長方形穴２０２の底部にピン２０３０を移動させることを必要とする。
【００３８】
図面、特に図２１に示す特定の変形形態では、日の裏機構分離レバー２０５と中間日の裏機構分離レバー２０３との間の関節接続部は、カム２０６を含み、一方の、設定手段２００への日の裏機構レバー２０１の結合と、もう一方の、調速器機構２２２の係止との間の継続時間を調節する。
【００３９】
図９及び図１０は、調速器の係止を示す。調速器トリガ部品２１０の爪２１１は、ミニッツ・ラック２２６の縁部２２８上で停止している。図１７からわかるように、調速器停止押さえ２１８の触腕２１９は、縁部２１７０上の、調速器制御カム２１５の側部にあり、したがって、調速器制御カム２１５及び調速器トリガ部品２１０に共通する軸に最も近い位置にある。第１のばね２３０は、調速器停止押さえ２１８のピン２２１に当接し、図１５からわかるように、制御爪２２０を調速器かな２２５の歯部の底部に押圧し、調速器２２２の回転を固定する。図１７からわかるように、調速器トリガ部品２１０の下側ピン２１４は、調速器制御カム２１５の第１の長方形穴２１６において、第１の端部に接する停止位置にあり、第１の端部は、図示の変形形態では、ミニッツ・ラック２２６の反対側にある。上側ピン２１３は、ピン２０５０上に載置されている第２のばね２３１から最も遠い上記上側ピン２１３の位置では、日の裏機構分離レバー２０５のフック２０８の溝２０９と協働し、図９及び図１０の位置では上記ミニッツ・ラック２２６に最も近い中間日の裏機構分離レバー２０３との関節部をミニッツ・ラック２２６から離すことになる。この場合、この関節部は、図示の位置において、中間日の裏機構分離レバー２０３の枢動を妨害するものではなく、この位置では、中間日の裏機構分離レバー２０３のピン２０３０が、日の裏機構レバー２０１の穴２０２の上側端部を占めることができ、したがって、ピン２０３０が図示の位置を占めることができ、この位置において、調速器かなの１つは設定手段２００と嵌合し、時間設定機構の動作を可能にする。図１６は、中間日の裏機構分離レバー２０３が支持するピン２０３０と、日の裏機構レバー２０１内に含まれる長方形穴２０２の第１の上側端部２０２Ａとの間の相互作用を示すが、上記ピン２０３０は、上記穴２０２の底部で停止していない。
【００４０】
図１１及び図１２は、時打周期を開始した際の調速器の解放を示す。調速器トリガ部品２１０の爪２１１は、ミニッツ・ラック２２６の縁部２２８上に載置されておらず、ミニッツ・ラック２２６の溝２２７の内部で解放されている。図２０からわかるように、調速器停止押さえ２１８の触腕２１９は、調速器制御カム２１５の円筒形部分２１７上にあり、したがって、調速器制御カム２１５及び調速器トリガ部品２１０に共通する軸から最も遠い位置では、第１のばね２３０の復元トルクを無効にし、このため、制御爪２２０を調速器かな２２５の歯部の底部に押圧することができず、図１８からわかるように、調速器２２２の回転を妨害することがない。図２０は、カムによって触腕が持ち上げられていることを示す。調速器トリガ部品２１０の下側ピン２１４は、図１７の停止位置を離れ、この下側ピン２１４は、もはや第１の長方形穴２１６の内部に停止しておらず、何も駆動しない。下側ピン２１４は、時打機能の間、角度進行する状態で移動することができ、これにより、日の裏機構を再度結合することを可能にする。今度は、上側ピン２１３は、第２のばね２３１に最も近い上記上側ピン２１３の位置において、日の裏機構分離レバー２０５のフック２０８の溝２０９と協働し、中間日の裏機構分離レバー２０３との関節部は、ミニッツ・ラック２２６から最も遠い。この関節部は、中間日の裏機構分離レバー２０３を強制的に図１９に示す位置に枢動させ、この位置では、ピン２０３０は、ミニッツ・ラック２２６に最も近く、日の裏機構レバー２０１の穴２０２の下側端部２０２Ｂに当接し、この場合、日の裏機構レバー２０１は、設定手段２００、特につづみ車から離れ、これにより、時間設定機構の動作を防止する。
【００４１】
図１３及び図１４は、時打周期が終了する際の、調速器を係止する前の瞬間における機構を示す。ミニッツ・ラック２２６が戻ると、爪２１１を再度フックに掛け、調速器トリガ部品２１０の下側ピン２１３をずらし、下側ピン２１３は、第１の長方形穴２１６の内部を移動した後、図示の変形形態ではミニッツ・ラックの側にある第２の端部で停止する。調速器停止押さえ２１８の触腕２１９は、円筒形部分２１７と縁部２１７０との間を急激に転じる直前に、カム２１５の縁部上の非安定均衡点に達し、図９及び図１０の位置に戻る。この最後の瞬間において、日の裏機構は、再度結合し、次に、調速器を再度係止する。日の裏機構は、調速器が停止する前に正確に配置される。実際、それ以外の場合では、ユーザは時間を設定することがもはや可能ではない。この動作は、カム２０６により正確に調節され、これにより、時打同期の終了を決定し、調速器が停止する前に日の裏機構を再度結合することを保証する。
【００４２】
カム２０６の手動調節により、これらの２つの瞬間の微調節を可能にし、爪２１１のくちばしを調節するよりも容易であり、ミニッツ・ラック２２６の位置に関連する爪２１１の位置が実際に、解放機能の開始及び終了を決定する。
【００４３】
要約すると、本発明は、制御部品２２６が調速器を解放すると同時に日の裏機構を分離することを可能にする中間部品を含み、より詳細には、中間部品は、制御部品２２６とは別個の調速器トリガ部品２１０によって形成される。この調速器トリガ部品２１０は、制御部品２２６によって作動され、調速器のオン／オフ機能及び日の裏機構の結合／分離機能を可能にする。
【００４４】
実際には、自動又は手動の命令により時打作業が解放されると、制御部品２２６が解放される。制御部品２２６が落下すると、調速器トリガ部品２１０は、ばね２３１の作用によって図９による時計回りに枢動し、ばね２３１は、日の裏機構分離レバー２０５に作用し、したがって、ピン２１３を支持し爪２１１と一体である板２１２に作用する。日の裏機構分離レバー２０５は、枢動時、日の裏機構レバー２０１を駆動する。更に、この落下の間、調速器制御カム２１５は、図９では時計回りに駆動される。調速器停止押さえ２１８は、カム２１５の側方形状部２１７０を辿り、同心形状部２１７に至る。この瞬間、押さえ２１８は、高い位置にあり、調速器は解放されている。したがって、時打機能を解放した際、日の裏機構が分離するのと同時に調速器が解放されることは理解されよう。
【００４５】
時、四半時、及び時打モードによっては分を時打した後、制御部品２２６は、図１３では反時計回りに枢動し、爪２１１を駆動し、これにより、その進行の最後までピン２１３及び２１４を支持する板２１２を駆動させる。ピン２１４は、調速器停止システムの要素を一切駆動させずに、カム２１５の長方形穴２１６の内部を移動する一方で、ピン２１３は、日の裏機構分離レバーに作用し、調速器が停止する前に日の裏機構を再度結合することを可能にする。日の裏機構を再度結合した後、カム２１５は、押さえ２１８がカムの側２１７で均衡位置に達するまで反時計回りに回転する。この瞬間、押さえ２１８に作用するばね２３０は、カムを急激に反時計回りにずらし、これにより、カムを瞬間的に落下させ、調速器かなに作用することによって時打列を封鎖することを可能にする。
【００４６】
念のためにいうと、調速器は、制御部品の回転速度を調整するものである。調速器が、日の裏機構を再度結合する前に停止した場合、ユーザは、もはや自分の時計の時間を設定することができず（制御部品の停止）、時計を販売後サービスに戻さなければならない。カム２０６は、日の裏機構の結合と調速器の停止との同期の制御を可能にする。したがって、調速器の停止が、日の裏機構の結合と瞬間的且つ連続的に生じることは明らかである。
【００４７】
本発明は、構成要素同士の妨害又は衝突を防止することによって機構を保護することを保証し、使用がかなり簡単であり、回避すべき操作を常に意識していない一部のユーザに対して、ほとんど注意を必要としない。本発明は、カム機構によって、調速器の停止と日の裏機構の結合との間の時間の遅れに対する微調節も可能にする。
【００４８】
したがって、時打機能を実行する間、日の裏機構は、調速器が停止する前に正確に配置される。
【００４９】
本発明の動作は、ムーブメントによって完全に自動化される。
【符号の説明】
【００５０】
１  基準車セット
３  出力部
１００  時打機構
２００  設定手段
２０１  日の裏機構レバー
２１０  調速器トリガ部品
２１８  調速器停止押さえ
２２２  調速器機構
２２６  制御部品
１０００  時計
２０００  ムーブメント
【図１】
2019095432.tif 000003
【図２】
2019095432.tif 000004
【図３】
2019095432.tif 000005
【図４】
2019095432.tif 000006
【図５】
2019095432.tif 000007
【図６】
2019095432.tif 000008
【図７】
2019095432.tif 000009
【図８】
2019095432.tif 000010
【図９】
2019095432.tif 000011
【図１０】
2019095432.tif 000012
【図１１】
2019095432.tif 000013
【図１２】
2019095432.tif 000014
【図１３】
2019095432.tif 000015
【図１４】
2019095432.tif 000016
【図１５】
2019095432.tif 000017
【図１６】
2019095432.tif 000018
【図１７】
2019095432.tif 000019
【図１８】
2019095432.tif 000020
【図１９】
2019095432.tif 000021
【図２０】
2019095432.tif 000022
【図２１】
2019095432.tif 000023
【図２２】
2019095432.tif 000024